(57)【要約】【課題】ケースに収納してある商品の抜き取りを阻止して、盗難防止に役立てる。【解決手段】周囲の一面に設けてある開口１１から商品ａを挿入して収納する形式のケースＫにおいて、上記開口の一部を閉鎖するように上記ケースの外側に着脱自在に嵌合体Ｂを嵌装すると共に、この嵌合体の一端内に前記嵌合体の一端側を先行させた嵌装にともない上記開口から上記ケースと商品との間隙に差し込む差し込み片１８を設け、また上記嵌合体とケースとに前記嵌合体の嵌装にともない押し戻され、かつ嵌装終了にともない係合関係になる適宜の係合手段Ｃを設けて、開口の一部を閉鎖した嵌合体により商品の抜き取りを阻止し、またショップ以外での嵌合体の取り外しを防止する。【選択図】　　　　　図２
2004059060.tif 000002
【特許請求の範囲】
【請求項１】
周囲の一面に設けてある開口から商品を挿入して収納する形式のケースにおいて、上記開口の一部を閉鎖するように上記ケースの外側に着脱自在に嵌合体を嵌装すると共に、この嵌合体の一端内に前記嵌合体の一端側を先行させた嵌装にともない上記開口から上記ケースと商品との間隙に差し込む差し込み片を設け、また上記嵌合体とケースとに前記嵌合体の嵌装にともない押し戻され、かつ嵌装終了にともない係合関係になる適宜の係合手段を設けたことを特徴とする盗難防止装置。
【請求項２】
周囲の一面に設けてある開口から商品を挿入して収納する形式のケースにおいて、上記開口の全部を閉鎖する閉鎖部材の一端に上記ケースの一端外側全部に嵌装する第一嵌合体を設け、また上記閉鎖部材の他端に上記ケースの他端外側に嵌装する第二嵌合体を設け、上記第二嵌合体とケースとに前記第二嵌合体の嵌装にともない押し戻され、かつ嵌装終了にともない係合関係になる適宜の係合手段を設けたことを特徴とする盗難防止装置。
【請求項３】
上記第一嵌合体の閉鎖部材側端内に開口からケースと商品との間隙に差し込む差し込み片を設けたことを特徴とする請求項２に記載の盗難防止装置。
【請求項４】
周囲の一面に設けてある開口から商品を挿入して収納する形式のケースにおいて、上記開口を閉鎖する閉鎖部材の両端に上記ケースの上記開口の両端外側に嵌装する嵌合体を設け、この各嵌合体とケースとに前記嵌合体の嵌装にともない押し戻され、かつ嵌装終了にともない係合関係になる適宜の係合手段を設けたことを特徴とする盗難防止装置。
【請求項５】
周囲の一面に設けてある開口から商品を挿入して収納する形式のケースにおいて、上記ケースの開口側及びその反対側両コーナーの外側に片方が前記開口の一部を閉鎖する着脱自在な嵌装部材を嵌装し、この両嵌装部材にショップ側での係合関係を解除することができる適宜の係合手段を設け、また上記開口側の一方嵌合部材に前記開口から上記ケースと商品との間隙に差し込む差し込み片を設け、さらに上記ケースの周壁に貫孔を、他方嵌合部材に上記貫孔に貫通する貫通部材を設けたことを特徴とする盗難防止装置。
【請求項６】
箱体と、この箱体の開口を開閉するように前記箱体に適宜のヒンジを介し設けた蓋体と、この蓋体と上記箱体との内と外とで重なり合う周壁に設けた貫窓とからなるケースにおいて、上記ケースの外側に着脱自在に嵌装する上記蓋体の開放阻止部材を設け、この開放阻止部材内に上記ケースに対する嵌装時に上記貫窓に嵌入し、嵌装終了にともない前記貫窓の縁に係合関係になると共に、ショップ側の解除具によって上記の係合関係が解除可能な係合手段を設けたことを特徴とする盗難防止装置。
【請求項７】
箱体と、この箱体の開口を開閉するように前記箱体に適宜のヒンジを介し設けた蓋体と、この蓋体の周壁に設けた貫窓とからなるケースにおいて、この貫窓に末端側を挿入して上記蓋体に適宜の手段を介し突出部材を固定し、また上記ケースの外側に上記蓋体の開放阻止部材を着脱自在に嵌装すると共に、上記開放阻止部材と突出部材とに前記開放阻止部材の嵌装終了にともない係合関係になり、かつショップ側の解除具により係合関係が解除可能な係合手段を設けたことを特徴とする盗難防止装置。
【請求項８】
箱体と、この箱体の開口を開閉するように前記箱体に適宜のヒンジを介し設けた蓋体と、この箱体の対向二辺の周壁に設けた貫窓とからなるケースにおいて、このケースの周壁及び箱体或いは蓋体のいずれか片方の側壁の外側に嵌装するカバーを設け、このカバーの側壁対向一方の内面に上記貫窓に嵌入する突片を設け、他方の内面に上記カバーの嵌装にともない押し戻され、嵌装終了にともない合致する上記貫窓に嵌入して係合関係になると共に、ショップ側の解除具によって上記の係合関係が解除可能な係合手段を設けたことを特徴とする盗難防止装置。
【請求項９】
箱体と、この箱体の開口を開閉するように前記箱体に適宜のヒンジを介し設けた蓋体と、この蓋体の対向二辺の周壁に設けた貫窓とからなるケースにおいて、周囲の一面開口から上記のケースを抜き差し自在に挿入するカバーを設け、このカバーの周壁内面に上記ケースの挿入にともない押し戻され、挿入終了にともない合致する貫窓に嵌入して係合関係になると共に、ショップ側の解除具によって上記の係合関係が解除可能な係合手段を設けたことを特徴とする盗難防止装置。
【請求項１０】
品物の片側面外側に位置する基板と、この基板の一つの対向辺縁から前記基板の裏面方向に突出する側板と、この片側の側板の突出縁から突出する上記品物の脱出防止部と、上記もう片側の側板に平行するように上記品物の少なくとも二面外側に被せる縁部材と、この縁部材と側板との対向面に上記品物の収納にともない押し戻され、収納終了にともない係合関係になると共に、ショップ側の解除具によって上記の係合関係が解除可能な係合手段を設けたことを特徴とする盗難防止装置。
【請求項１１】
一面に品物の嵌入用の開口を有するカバーと、このカバーの対向側板の一方上記開口の縁から内方に突出させて設けた品物の脱出防止部と、上記対向他方の側板と品物との間に差し込む差し込み板と、この差し込み板と上記カバー側との対向面に上記差し込み板の差し込みにともない押し戻され、差し込み終了にともない係合関係になると共に、ショップ側の解除具によって係合関係が解除可能に設けた係合手段と、上記差し込み板の端末に設けた品物の脱出防止片とからなる盗難防止装置。
【請求項１２】
前記差し込み板の端末からカバーの側板方向に突出する突片を設けて、この突片と上記側板との重なり合縁に互いに噛い合い状に嵌り込む櫛歯部を設けたことを特徴とする請求項１１に記載の盗難防止装置。
【請求項１３】
ケースに被さるカバーを形成して、このカバーの対向側壁の片方内面に突片を、もう片方の内面に係合手段を設けたカバー。
【発明の詳細な説明】
【０００１】
【発明の属する技術分野】
この発明は、ケースに収納してある商品の抜き取りを阻止する盗難防止装置に関する。
【０００２】
【従来の技術及びその課題】
従来レンタルショップにあっては、図３８に示すように、陳列内ケース１の前面開口２から上記陳列内ケース１にビデオテープなどの商品ａを挿入して収納する。
【０００３】
次いで、陳列外ケース３の上面開口４から上記陳列外ケース３の内に上記商品ａの収納ずみ陳列内ケース１を挿入して、レンタルショップの棚に陳列する。
【０００４】
その際、陳列外ケース３の上面から上方に挿入陳列内ケース１の上部を突出（図１８鎖線で示す）させて、陳列外ケース３に対する陳列内ケース１の存在を知らせるようになっている。
【０００５】
上記陳列外ケース３に対する陳列内ケース１の上部を上方に突出させる手段としては、周知のように陳列外ケース３の内面から突出する突出部材（図示省略）に挿入した陳列内ケース１の底を受架させて行う。
【０００６】
上述のような陳列状況下において、顧客は陳列外ケースから陳列内ケースを抜き取って、まず棚に空の陳列外ケースを戻し、次いで手にした陳列内ケースをカウンタに持参してレンタルの手続きを行う。
【０００７】
このようなショップにあっては、顧客が直接陳列内ケースを抜き取るシステムのため、抜き取った陳列内ケース内の収納商品を支障なく取り出すことができるので、商品の盗難にあう問題があった。
【０００８】
また、上記以外に、ブックケースにブックを挿入した場合や、商品ケースに商品を挿入して収納する場合でも同様に商品が抜き取られて盗難にあう。
【０００９】
さらに、図１３に示すような箱体と、この箱体にヒンジを介し箱体の開口を開閉する蓋体とで構成されたケースにあっては、閉鎖時の蓋体の開放阻止手段がないため、ケースに収納してあるディスクなどの商品が取り出され、盗難にあう問題があった。
【００１０】
そこで、この発明は、ケースに挿入（収納）してある商品の盗難を防止するようにしたことにある。
【００１１】
【課題を解決するための手段】
上記の課題を解決するために、この発明は、周囲の一面に設けてある開口から商品を挿入して収納する形式のケースにおいて、上記開口の一部を閉鎖するように上記ケースの外側に着脱自在に嵌合体を嵌装すると共に、この嵌合体の一端内に前記嵌合体の一端側を先行させた嵌装にともない上記開口から上記ケースと商品との間隙に差し込む差し込み片を設け、また上記嵌合体とケースとに前記嵌合体の嵌装にともない押し戻され、かつ嵌装終了にともない係合関係になる適宜の係合手段を設けた構成を採用する。
【００１２】
また、周囲の一面に設けてある開口から商品を挿入して収納する形式のケースにおいて、上記開口の全部を閉鎖する閉鎖部材の一端に上記ケースの一端外側全部に嵌装する第一嵌合体を設け、また上記閉鎖部材の他端に上記ケースの他端外側に嵌装する第二嵌合体を設け、上記第二嵌合体とケースとに前記第二嵌合体の嵌装にともない押し戻され、かつ嵌装終了にともない係合関係になる適宜の係合手段を設けた構成を採用する。
【００１３】
さらに、上記第一嵌合体の閉鎖部材側端内に開口からケースと商品との間隙に差し込む差し込み片を設けることもある。
【００１４】
また、周囲の一面に設けてある開口から商品を挿入して収納する形式のケースにおいて、上記開口を閉鎖する閉鎖部材の両端に上記ケースの上記開口の両端外側に嵌装する嵌合体を設け、この各嵌合体とケースとに前記嵌合体の嵌装にともない押し戻され、かつ嵌装終了にともない係合関係になる適宜の係合手段を設けた構成を採用する。
【００１５】
さらに、周囲の一面に設けてある開口から商品を挿入して収納する形式のケースにおいて、上記ケースの開口側及びその反対側両コーナーの外側に片方が前記開口の一部を閉鎖する着脱自在な嵌装部材を嵌装し、この両嵌装部材にショップ側での係合関係を解除することができる適宜の係合手段を設け、また上記開口側の一方嵌合部材に前記開口から上記ケースと商品との間隙に差し込む差し込み片を設け、さらに上記ケースの周壁に貫孔を、他方嵌合部材に上記貫孔に貫通する貫通部材を設けた構成を採用する。
【００１６】
また、箱体と、この箱体の開口を開閉するように前記箱体に適宜のヒンジを介し設けた蓋体と、この蓋体と上記箱体との内と外とで重なり合う周壁に設けた貫窓とからなるケースにおいて、上記ケースの外側に着脱自在に嵌装する上記蓋体の開放阻止部材を設け、この開放阻止部材内に上記ケースに対する嵌装時に上記貫窓に嵌入し、嵌装終了にともない前記貫窓の縁に係合関係になると共に、ショップ側の解除具によって上記の係合関係が解除可能な係合手段を設けた構成や箱体と、この箱体の開口を開閉するように前記箱体に適宜のヒンジを介し設けた蓋体と、この蓋体の周壁に設けた貫窓とからなるケースにおいて、この貫窓に末端側を挿入して上記蓋体に適宜の手段を介し突出部材を固定し、また上記ケースの外側に上記蓋体の開放阻止部材を着脱自在に嵌装すると共に、上記開放阻止部材と突出部材とに前記開放阻止部材の嵌装終了にともない係合関係になり、かつショップ側の解除具により係合関係が解除可能な係合手段を設けた構成を採用することもある。
【００１７】
さらに、箱体と、この箱体の開口を開閉するように前記箱体に適宜のヒンジを介し設けた蓋体と、この箱体の対向二辺の周壁に設けた貫窓とからなるケースにおいて、このケースの周壁及び箱体或いは蓋体のいずれか片方の側壁の外側に嵌装するカバーを設け、このカバーの側壁対向一方の内面に上記貫窓に嵌入する突片を設け、他方の内面に上記カバーの嵌装にともない押し戻され、嵌装終了にともない合致する上記貫窓に嵌入して係合関係になると共に、ショップ側の解除具によって上記の係合関係が解除可能な係合手段を設けた構成を採用することもある。
【００１８】
また、箱体と、この箱体の開口を開閉するように前記箱体に適宜のヒンジを介し設けた蓋体と、この蓋体の対向二辺の周壁に設けた貫窓とからなるケースにおいて、周囲の一面開口から上記のケースを抜き差し自在に挿入するカバーを設け、このカバーの周壁内面に上記ケースの挿入にともない押し戻され、挿入終了にともない合致する貫窓に嵌入して係合関係になると共に、ショップ側の解除具によって上記の係合関係が解除可能な係合手段を設けた構成を採用することもある。
【００１９】
さらに、品物の片側面外側に位置する基板と、この基板の一つの対向辺縁から前記基板の裏面方向に突出する側板と、この片側の側板の突出縁から突出する上記品物の脱出防止部と、上記もう片側の側板に平行するように上記品物の少なくとも二面外側に被せる縁部材と、この縁部材と側板との対向面に上記品物の収納にともない押し戻され、収納終了にともない係合関係になると共に、ショップ側の解除具によって上記の係合関係が解除可能な係合手段を設けた構成を採用することもある。
【００２０】
また、一面に品物の嵌入用の開口を有するカバーと、このカバーの対向側板の一方上記開口の縁から内方に突出させて設けた品物の脱出防止部と、上記対向他方の側板と品物との間に差し込む差し込み板と、この差し込み板と上記カバー側との対向面に上記差し込み板の差し込みにともない押し戻され、差し込み終了にともない係合関係になると共に、ショップ側の解除具によって係合関係が解除可能に設けた係合手段と、上記差し込み板の端末に設けた品物の脱出防止片とからなる構成を採用し、前記差し込み板の端末からカバーの側板方向に突出する突片を設けて、この突片と上記側板との重なり合縁に互いに噛い合い状に嵌り込む櫛歯部を設けることもある。
【００２１】
【発明の実施形態】
この発明の実施の形態を添付図面に基づいて説明する。
【００２２】
この発明の第一の実施形態では、図１から図４に示すように、周囲一面に開口１１を有するケースＫには、開口１１から商品ａを挿入して収納する。
【００２３】
上記のケースＫは、左右で対向する側壁１２、１２と、この両側壁１２、１２間の上下面閉鎖の頂壁１３、底壁１４及び後面閉鎖の後壁１５とで両側壁１２、１２間の前面に開口１１を設けて形成し、例えば合成樹脂製薄板のブランクから組み立てたり、合成樹脂の成形製品などがある。
【００２４】
Ｂは開口１１の一部を閉鎖するようにケースＫの外側に着脱自在に嵌装する嵌合体である。
【００２５】
上記の嵌合体Ｂは、頂壁１３に重なる主壁１６と、この主壁１６の周縁から連なって主壁１６の裏面側に突出する角筒状の周壁１７とで構成され、ケースＫの上端外側（図示の場合）に嵌装して、周壁１７により開口１１の一部を閉鎖するもので、例えば合成樹脂による形成などにより形成すると共に、指先などを引っかけて力を加えても破損しないようになっている。
【００２６】
そして、開口１１から商品ａを挿入してケースＫに商品ａを収納したのち、ケースＫの上端外側に嵌装することで開口１１の一部を周壁１７により（図３に示すように）閉鎖されて、ケースＫに収納してある商品ａの抜き取りを阻止する。
【００２７】
また、嵌合体Ｂの一端内には、嵌合体Ｂの一端側を先行させた嵌装にともないケースＫと収納商品ａとの間隙に差し込む差し込み片１８が設けてある。
【００２８】
上記の差し込み片１８は、図示の場合嵌合体Ｂと一体に設けたが、別部品を接着や熱溶着などで取り付けることもあり、図示の場合商品ａと頂壁１６との間隙に差し込むようにしたが、限定されず商品ａと側壁１２とに間隙があればその間隙に差し込んでもよい。
【００２９】
要するに、差し込み片１８の差し込みによって嵌装した嵌合体Ｂの一端側上方（図示）への離脱を阻止することにある。
【００３０】
さらに、嵌合体ＢとケースＫとには、嵌合体Ｂの嵌装にともない押し戻され、かつ嵌装終了にともない係合関係になる係合手段Ｃが設けてある。
【００３１】
上記の係合手段Ｃとしては、図示の場合、後壁１５に貫孔による係止部１９を、周壁１７の内面に後壁１５の方向に突出端縁を突出させると共に、嵌合体Ｂの嵌装による後壁１５との接触にともない復元力に抗して押し戻され、係止部１９に合致（嵌合体Ｂの嵌装終了による）すると係止部１９に対し自動的に係合関係になる係止爪２０とで構成されている。
【００３２】
勿論、ケースＫ側に係止爪２０を、嵌合体Ｂ側に係止部１９を設けることもあり、係止部１９も貫孔にかえて凹部や突起などにかえることもあり、係止爪２０も切り起こしや別部品を接着や熱融着などで設けると共に、側壁１２と周壁１７との適所の対向面に、設けてもよい。
【００３３】
上記のように構成すると、レンタルショップにあっては、ケースＫを陳列内ケースとして使用し、開口１１からケースＫにレンタル商品ａを（販売品であってもよい）収納したのち、ケースＫの上端に嵌合体Ｂを嵌装する。
【００３４】
嵌装に際し、まずケースＫと商品ａとの間隙に差し込み片１８を差し込み、次いで図３鎖線に示す嵌合体Ｂを押し下げて図３実線に示すように嵌装する。
【００３５】
嵌装にともない後壁１５と係止爪２０の突出端縁との接触にともない係止爪２０を押し戻し、嵌合体Ｂの嵌装終了にともない係止部１９と係止爪２０とが合致するので、押し戻しによる復元力の発生している係止爪１９と係止部１９とが自動的に係合関係になって、差し込み片１８と係合関係ＣとでケースＫに対する嵌合体Ｂが結合されて、嵌合体Ｂの離脱を阻止する。
【００３６】
しかして、図１に示すように、レンタルショップ側の陳列外ケース３の上面開口４から陳列内ケースとしてのケースＫを挿入して陳列する。
【００３７】
その際、陳列外ケース３の上端から上方に嵌合体Ｂが突出して貸し出し可能（販売可能）な存在を知らせる。
【００３８】
顧客が陳列外ケース３からケースＫを抜き取り、そしてケースＫから商品ａを取り出そうとしても、ケースＫに対し結合状態に嵌装してある嵌合体Ｂの周壁１７により開口１１の一部が閉鎖されているので、抜き取りを阻止して盗難防止に役立つ。
【００３９】
上記係止手段Ｃの係合関係の解除方法は、解除具Ｅを用いて行う。
【００４０】
上記の解除具Ｅとしては、図示の場合周壁１７の内側に解除具Ｅの挿入片２１を挿入すると、挿入片２１の先端により係止爪２０を押し戻して係止爪２０と係止部１９との係合関係を解除するので、嵌合体Ｂの他端側を引き上げてケースＫから嵌合体Ｂを取り外す。
【００４１】
取り外した嵌合体Ｂは、ショップ側に回収する。
【００４２】
上記以外の解除方法としては、金属板により係止爪２０を形成して、強力な磁石により係止爪２０を吸引により引き戻すこともある。
【００４３】
なお、図３に示すように、ケースＫと嵌合体Ｂの周壁１７との大きな間隙が発生する場合、周壁１７の内面に解除具Ｅの差し込みに支障のない突起などを設けて、異物の挿入や周壁１７の変形を阻止すればよい。
【００４４】
また、ケースＫの後壁１５が薄くて係止爪２０の係合関係に支障や破損などが発生しやすい場合、図５に示すように厚板の係止部１９付の補強板２２を重ね合わせて固着すればよい。
【００４５】
なお、ケースＫを陳列内ケースとして使用する例を示したが、ケースＫのみを陳列ケースとして用い、ケースＫ内の商品ａの盗難を防止することもできる。
【００４６】
当然、図６に示すようにケースＫの上下に差し込み片１８及び係合手段Ｃ付の嵌合体Ｂ、Ｂを嵌装することもある。
【００４７】
また、図示のように、嵌合体Ｂ内に固有のＩＤコードをもち、ショップの出入口を通過の際出入口に設置の高周波電磁界の発生により共振回路が共振して固有のＩＤコードの発信にともない高周波電磁界を変調させるような盗難防止用のタグＤを設けておくと、ケースＫ毎商品ａのショップ外への持ち出しを防止する。
【００４８】
さらに、ケースＫの開口１１は、常時開放しているものを示したが、片方の側壁１２に折れ線を介し開口１１を開閉する蓋壁及び蓋壁に折れ線を介しもう片方の側壁１２の内側に差し込む差し込み壁（図示省略）を設けたものであってもよい。
【００４９】
この発明の第二の実施形態では、第一の実施形態のケースＫの開口１１を閉鎖する板材などの閉鎖部材２３の一端には、ケースＫの一端（図７に示す上端側）外側の全部に嵌装する第一嵌合体３２が、閉鎖部材３１の他端には、ケースＫの他端（図７に示す下端側）外側に嵌装する第二嵌合体３３が設けてある。
【００５０】
上記のケースＫは、第一の実施形態と同様につき説明を省略する。
【００５１】
上記の第一嵌合体３２は、閉鎖部材３１の上端から連なってケースＫの頂壁１３と後壁１５の上部に外接する主壁３４と、この主壁３４の両側縁及び溝形の閉鎖部材３１の両側壁３５から連なる側壁３６とで形成され、上記の第二嵌合体３３は、閉鎖部材３１の下端から連なってケースＫの底壁１４の下面に対向する主壁３７と、この主壁３７の両側縁に連なる側壁３５とで構成され、合成樹脂の形成品によってコストの低減をはかる。
【００５２】
すると、ケースＫの上端外側に第一嵌合体３２を、ケースＫの下端外側に第二嵌合体３３を換装して開口１１を閉鎖部材３１により閉鎖すると、ケースＫに収納してある商品ａの抜き取りを防止する。
【００５３】
そして、ケースＫと第二嵌合体３３とに第一の実施形態と同様の係合手段Ｃを設けておくと、ショップ側の解除具による係合手段Ｃの係合関係を解除しないかぎり、ケースＫから第一嵌合体３２及び第二嵌合体３３を有する閉鎖部材３１の取り外しができないので、盗難防止にすぐれた効果がある。
【００５４】
上記係合手段Ｃ及び解除方法は、第一の実施形態と同様につき説明を省略し、また第一嵌合体３２、第二嵌合体３３、閉鎖部材３１のいずれか内側に第一の実施形態と同様のタグＤを設けておくと、商品ａと共にケースＫのショップ外への持ち出しを防止する。
【００５５】
また、閉鎖部材３１に第一の実施形態と同様の差し込み片１８を設けておくと、第一嵌合体３２の嵌装が安定し、かつ外れにくくなる効果もある。
【００５６】
この発明の第三の実施形態では、図８に示すように、第二の実施形態と同様の閉鎖部材３１の両端には、第二の実施形態の第二嵌合体３３と同様の嵌合体４１、４１が設けてある。
【００５７】
そして、ケースＫと両嵌合体４１、４１には、第一の実施形態と同様の係合手段Ｃが設けてある。
【００５８】
すると、ショップ側の解除具による係合手段Ｃの係合関係を解除することができないので、ケースＫに対する両嵌合体４１、４１を有する閉鎖部材３１の取り外しができないため、ケースＫに収納してある商品ａの抜き取りを阻止し、盗難防止に役立つ。
【００５９】
上記閉鎖部材３１及び両嵌合体４１、４１は、第二の実施形態の閉鎖部材３１及び第二嵌合体３３と同様につき、また係合手段Ｃは第一の実施形態と同様につき説明を省略する。
【００６０】
また、閉鎖部材３１或いは嵌合体４１のいずれか内側に第一の実施形態と同様のタグＤを設けておくと、ケースＫ毎商品ａのショップ外への持ち出しを阻止する。
【００６１】
この発明の第四の実施形態では、図９から図１２に示すように、第一の実施形態と同様のケースＫの頂壁（底壁１４側でも可）１３の一端外側と頂壁１３の他端外側とに嵌装部材Ｈ、Ｈ’を嵌装して、頂壁１３の一端側嵌装部材Ｈにより開口１１の一部を閉鎖して、ケースＫに収納してある商品ａの抜き取りを阻止する。
【００６２】
上記の一方嵌装部材Ｈは、頂壁１３に外接する頂板６１と、この頂板６１の外端から連なって下方に突出すると共に、開口１１を閉鎖する端板６２と、頂板６１及び端板６２の両側縁から連なって側壁１２に外接する側板６３とで構成され、他方の嵌合部材Ｈ’は、頂壁１３に外接する頂板６４と、この頂板６４の外端から連なって下方に突出すると共に、後壁１５に外接する後板６５と、頂板６４及び後板６５の両側縁から連なって側壁１２に外接する側板６６とで構成され、例えば硬質の合成樹脂の成形品などが望ましい。
【００６３】
また、嵌装部材Ｈ内には、第一の実施形態と同様の差し込み片１８が、嵌装部材Ｈ’内には、後板６５などの内面から突出してケースＫの後壁１５に設けてある貫通部６７’に貫通させて、ケースＫと収納商品ａとの間隙に差し込む差し込み片１８がそれぞれ設けてある。
【００６４】
上記差し込み片１８、１８を設ける要因は、ケースＫに対し両嵌装部材Ｈ、Ｈ’の上方への離脱を阻止することにある。
【００６５】
上記のケースＫは、第一の実施形態と、差し込み片１８を設ける手段は、第一の実施形態と同様につき説明を省略する。
【００６６】
また、両嵌装部材Ｈ、Ｈ’には、ケースＫに対し両嵌装部材Ｈ、Ｈ’を嵌装し、嵌装終了にともない係合関係になってケースＫに対する両嵌合部材Ｈ、Ｈ’の離脱（抜き取り）を防止し、かつショップ側での解除具Ｎによる係合関係を解除する係合手段Ｍが設けてある。
【００６７】
上記の係合手段Ｍとしては、例えば（図示の場合）、嵌装部材Ｈ’の上面に先端部以外をカバー６７により覆った二又片６８を、嵌装部材Ｈの上面に二又片６８の先端部が嵌入する筒状部６９を設け、二又片６８の先端外側縁に設けてある銛状の係止爪７０が筒状部６９内の両側面に設けてある爪部７１に接すると、二又片６８を互いに内方に押し戻し、係止爪７０が爪部７１を通過すると二又片６８の押し戻しが解除されて、係止爪７０と爪部７１とが係合関係になって両嵌装部材Ｈ、Ｈ’の衝合端を連結し、ショップ側の解除具Ｎは、筒状部６９に挿入し、挿入先行端から突出する二条の突出部７２が両係止爪７０の突出テーパー面に接して両係止爪７０を互いに内方に押し戻すと共に、押し戻しにより係止爪７０と爪部７１との係合関係を解除して、ケースＫに対し解除具Ｎを挿入したままで嵌装部材Ｈを取り外すようにしたが、ケースＫに対しそれぞれの嵌装部材Ｈ、Ｈ’を係合関係にすることもでき、係合関係及び係合関係解除も他の手段で行うこともある。
【００６８】
すると、ケースＫに嵌装部材Ｈ、Ｈ’を嵌装することによりケースＫから商品ａの抜き取りを阻止する。
【００６９】
なお、取り外した嵌装部材Ｈ、Ｈ’はショップ側に回収し、嵌装部材Ｈ、Ｈ’のいずれか片方の内側に第一の実施形態と同様のタグＤを設けておくと、ケースＫ毎商品ａの店外の持ち出しを阻止する。
【００７０】
この発明の第５の実施形態では、図１３から図１６に示すように、箱体８１と、この箱体８１にヒンジ８２を介し開閉自在に設けて箱体８１の開口を開閉する蓋体８３と、箱体８１及び蓋体８３の閉鎖時外と内とで重なり合う周壁８４のヒンジ８２及び開閉自由の辺を挟む両側の周壁８４に合致するように設けた貫窓８５とからなる周知のケースＫ’を使用する。
【００７１】
上記外側周壁８４の長孔状の貫窓８５を設ける要因は、外側周壁８４の内面から突出する歌詞カードなどの収納物の押え片８６を設けるための成形の際の型抜きのためにあり、内側周壁８４の切欠き状の貫窓８５は、蓋体８３の閉鎖時に押え片８６が嵌り込むためにある。
【００７２】
８７は、ケースＫ’の外側に嵌装して蓋体８３の開放を阻止すると共に、阻止によって箱体８１に収納して商品の盗難を防止する開放阻止部材である。
【００７３】
上記の開放阻止部材８７は、図示の場合一側の外側周壁８４及び開閉自由端の外側周壁８４に外接する主壁８８と、この主壁８８の両側縁から連なってケースＫ’の両側面（箱体８１と蓋体８３との）に外接する側壁８９とで構成され、ケースＫ’に対する開放阻止部材８７の嵌装により箱体８１及び蓋体８３の両側外面を抱き込んでケースＫ’の開放を阻止するもので、上記構成以外によって同目的を達成する構成であってもよい。
【００７４】
また、開放阻止部材８７の内面貫窓８５と対向する位置には、ケースＫ’に開放阻止部材８７を嵌装しながら貫窓８５に貫通させ、かつ貫通後に周壁８４の裏面に係合する係合爪１００が設けてある。
【００７５】
上記の係合爪１００は、図１４に示すように対の一方が固定式に対し他方が切欠きによってヒンジ１０１を有する可動式とし、まず貫窓８５に固定式の係合爪１００を貫通させたのち、開放阻止部材８７をスライドさせて貫窓８５と固定式係合爪１００とを係合関係にしたのち、開放阻止部材８７を嵌装する。
【００７６】
このとき、貫窓８５の上縁に可動式の係合爪１００のテーパー縁部１０２が接触して、まず可動式の係合爪１００を押し逃がし、次いで貫通すると押し逃がした可動式の係合爪１００が復帰して貫窓８５に可動式の係合爪１００を係合関係にする場合と、図１５に示すように対の係合爪１００の両方をヒンジ１０１を有する可動式にすることもある。
【００７７】
上記ケースＫ’から開放阻止部材８７を取り外す際の貫窓８５と係合爪１００との係合関係の解除は、ショップ側の解除具１０３を使用する。
【００７８】
上記の解除具１０３としては、図示の場合開放阻止部材８７の外側に嵌装する操作部材１０４の裏面から突出するピン１０５を主壁８８に設けた孔１０６から貫窓８５に挿入すると共に、押し込みによってピン１０５の先端を係合爪１００に当接し、押し込みの続行によって係合爪１００を押し逃がして貫窓８５と係合爪１００との係合関係を解除する。
【００７９】
そして、操作部材１０４と開放阻止部材８７とを一体的に取り外す。
【００８０】
なお、係合爪１００が固定式の場合は、可動式の係合爪１００と貫窓８５との係合関係を解除し、次いで開放阻止部材８７をスライドさせて貫窓８５と固定式の係合爪１００との係合関係を解除すればよい。
【００８１】
取り外した開放阻止部材８７は、ショップ側に回収する。
【００８２】
すると、開放阻止部材８７の装着によってケースＫ’の開放を阻止して、ケースＫ’内の商品の盗難を防止する。
【００８３】
この発明の第六の実施形態では、図１７に示すように第五の実施形態と同様のケースＫ’の貫窓８５に突出部材１１１の末端部を嵌入すると共に、接着材や熱融（溶）着などで突出部材１１１を固着しておく。
【００８４】
そして、ケースＫ’に第五の実施形態と同様の開放阻止部材８７を嵌装して、ケースＫ’の開放を阻止すると共に、ケースＫ’に収納してある商品の抜き取りを防止する。
【００８５】
上記開放阻止部材８７と突出部材１１１とには、開放阻止部材８７の嵌装にともない押し戻され、嵌装終了にともない自動的に係合関係になる係合手段１１２が設けてある。
【００８６】
上記の係合手段１１２は、図示の場合開放阻止部材８７内に第五の実施形態と同様の係合爪１００を、突出部材１１１に係合爪１００の貫窓８５にかわる係止部１１３を設けた。
【００８７】
また、係合手段１１２の係合関係の解除は、第五の実施形態の解除具１０３を用いた。
【００８８】
なお、ケースＫ’、開放阻止部材８７、係合爪１００及び係合爪１００と係止部１１３との係合関係の作用及び解除具１０３及びその解除操作は、第五の実施形態と同様につき説明を省略する。
【００８９】
すると、第五の実施形態と同様に開放阻止部材８７によりケースＫの開放を阻止して、収納商品の盗難を防止する。
【００９０】
なお、第五及び第六の実施形態の開放阻止部材８７内に第一の実施形態と同様のタグＤを設けておくと、ケースＫ’の店外持ち出しを防止することができる。
【００９１】
この発明の第七の実施形態では、図１８から図２３に示すように、第五の実施形態と同じ周知のケースＫ’を使用する。
【００９２】
上記ケースＫ’は、第五の実施形態と同様につき構成の説明を省略する。
【００９３】
上述のケースＫ’の外側（図示蓋体８３の外側）には、着脱自在にカバー１２１を嵌装する。
【００９４】
上記のカバー１２１は、方形状の主壁１２２と、この主壁１２２の四辺の縁から連なって主壁１２２の裏面方向に突出する周囲四辺の側壁１２３とで構成され、ケースＫ’の外側にカバー１２１を嵌装した状態にあっては、片方の貫窓８５を有する周壁８４に側壁１２３が外接し、もう片方の貫窓８５を有する周壁８４と側壁１２３との間に間隙ができるようになっている。
【００９５】
なお、上記のカバー１２１は、例えば合成樹脂の成形によって形成する。
【００９６】
また、対向一方の側壁１２３の内面には、ケースＫ’の貫窓８５に嵌入する突片１２６が設けてあり、もう片方の側壁１２３の内面には、カバー１２１の嵌装にともないケースＫ’の周壁８４に当接して押し戻され、カバー１２１の嵌装終了にともない合致する貫窓８５に自動的（復元力により）に嵌入して係合関係になると共に、ショップ側の解除具１２７によって係合関係を解除することのできる係合手段１２９が設けてある。
【００９７】
上記の係合手段１２９は、例えば図示の場合側壁１２３の内面から主壁１２２の方向に、かつ主壁１２２の方向に向う程側壁１２３との対向間隙が大きくなる弾片１３０と、この弾片１３０の突出方向端から突出する爪１３１と、この爪１３１の主壁１２２の反対側面にケースＫ’の辺縁との当接によって弾片１３０を押し戻すように設けたテーパー面部１３２とで構成し、ケースＫ’にカバー１２１を嵌装すると、ケースＫ’の辺縁とテーパー面部１３２との当接によって弾片１３０を押し戻し、そしてケースＫ’の辺縁がテーパー面部１３２上をすべってケースＫ’の辺縁が爪１３１を通過し終わると、貫窓８５と爪１３１とが合致するのと同時に弾片１３０の押し戻しが解除されるので、図２０に示すように自動的に貫窓８５に爪１３１が嵌り込んで係合関係になる。
【００９８】
その結果、爪１３１と貫窓８５と係合関係及び突片１２６と貫窓８５との嵌合によってケースＫ’からカバー１２１が外れなくなって、ケースＫ’の開放が阻止されるので、ケースＫ’に収納してある商品の取り出しが不可能になり、商品の盗難を防止する。
【００９９】
上記の解除具１２７は、操作板１３３と、この操作板１３３から突出する突出片１３４とで構成され、ケースＫ’とカバー１２１との間隙１３５に突出片１３４を押し込むと、押し込んだ突出片１３３の尖端が弾片１３０の板面をすべりながら、図２１に示すように弾片１３０の片側コーナーに爪１３１を設けてあるため、爪１３１と突出片１３４との衝突を回避し、そして弾片１３０を押し戻すと共に、貫窓８５から爪１３１を脱出させ、然るのち、弾片１３０とケースＫ’の辺との間に（図２３に示すように）突出片１３４が嵌入して、爪１３１の脱出状態を維持する。
【０１００】
すると、係合手段１２９側においてケースＫ’からカバー１２１を外すことができ、次いで貫窓８５から突片１２６を抜いて、ケースＫ’からカバー１２１を取り外すことができる。
【０１０１】
なお、上記の爪１３１は、図示の場合左右に二個設けたが、一個でも（数は限定されない）よい。
【０１０２】
また、図示のようにカバー１２１に第一、第二、第三、第四の実施形態のように、盗難防止用のタグＤを設けて、店外への持ち出しを防止する。
【０１０３】
上記取り外したカバー１２１及び解除具１２７は、ショップ側に回収する。
【０１０４】
また、図１８、１９、２０に示すように、カバー１２１の係合手段１２９を有する側壁１２３に対向する側壁１２３（突片１２６と貫窓８５との嵌合側）の開放縁に内方に突出する引っ掛り部１９１を（図示側壁１２３の全長に限定されず、点在的に設けることもある）設けておくと、カバー１２１に対するケースＫ’の無理矢理な取り出しを防止する効果がある。
【０１０５】
当然、ケースＫ’に対するカバー１２１の嵌装は、引っ掛り部１９１の内側にケースＫ’の対向する一辺を先行させて嵌入し次いでケースＫ’の他辺を嵌入する。
【０１０６】
この発明の第八の実施形態では、図２４から図２７に示すように、第七の実施形態と同様のケースＫ’（このケースＫ’は、第五及び第七の実施形態のケースＫ’と同様につき説明を省略する）を周囲一面の開口１４１からカバー１４２に抜き差し自在に挿入する。
【０１０７】
上記のカバー１４２は、図示の場合主壁１４３と、この主壁１４３の三つの辺縁から連なって主壁１４３の裏面方向に突出する側壁１４４とで側壁１４４の存在しない部分が開口１４１になり、ケースＫ’の挿入方向に沿う片側の側壁１４４以外の側壁１４４の開放縁から内方に突出するケースＫ’の脱出防止片１４５とで構成した。
【０１０８】
すると、カバー１４２に挿入してあるケースＫ’に収納してある印刷紙などがカバー１４２の主壁１４３に対向する開放面によって透視ができ、カバー１４２を不透明な合成樹脂によって成形しても何ら支障をきたすことがない。
【０１０９】
また、側壁１４４の内面（図示防止片１４５のない）には、ケースＫ’の挿入にともない押し戻され、挿入終了にともない合致する貫窓８５に嵌入して係合関係になると共に、ショップ側の解除具１２７によって係合関係が解除可能な係合手段１２９が設けてある。
【０１１０】
上記の解除具１２７及び係合手段１２９は、第七の実施形態と同様につきその構成の説明を省略する。
【０１１１】
また、係合関係及び解除具１２７を用いた係合関係の解除作用も同様につき説明を省略する。
【０１１２】
なお、開口１４１からケースＫ’を挿入して爪１３１を押し戻すため、図２７に示すように爪１３１の開口１４１方向の面に突出度合いが爪１３１に向う程大きくなるテーパー面部１４６を設けて、ケースＫ’の挿入先行端とテーパー面部１４６との当接により爪１３１を押し戻すようになっている。
【０１１３】
すると、カバー１４２によってケースＫ’の開放を阻止すると共に、ケースＫ’内の商品の盗難を防止する。
【０１１４】
勿論、カバー１４２に第一の実施形態と同様のタグＤを設けて、店外への持ち出しを防止する。
【０１１５】
この発明の第九の実施形態では、図２８から図３２に示すように、品物Ｘにカバー１５４を被せるようになっている。
【０１１６】
上記品物Ｘにカバー１５４を被せる手段としては、図２８及び図２９に示す場合、品物Ｘの片面外側に位置する基板１５１と、この基板１５１の対向二辺の縁から基板１５１の裏面側に向けて突出する側板１５２と、平行する側板１５２の片側の開放縁から内方に突出する脱出防止部１５３（この脱出防止部１５３は、図示の点在的にかえて辺縁全長に設けることもある）とで構成し、側板１５２のない部分からカバー１５４内に品物Ｘを挿入（図２８矢符方向に）して、品物Ｘにカバー１５４を被せるようにしたが、図３１に示すように、基板１５１の四辺縁から基板１５１の裏面方向に突出する側板１５２と、一つの側板１５２の開放縁全長或いは点在位置から内方に突出する脱出防止部１５３とでカバー１５４を形成し、まず脱出防止部１５３の内側に品物Ｘの一辺を差し込み、次いでカバー１５４内に品物Ｘを落とし込んで、品物Ｘにカバー１５４を被せるようにした。
【０１１７】
なお、両側板１５２を連結する脱出防止部１５３付の端板１５５を設けたが、限定されない。
【０１１８】
また、品物Ｘとしては、例えば貫窓８５のないケースを示したが、その他の箱詰め或いはカバーにブックを収納したものなどで、陳列時の盗難を防止する物であってもよい。
【０１１９】
１５６は品物Ｘの脱出防止部１５３のない側板１５２に対向する面と品物Ｘの基板１５１と接触しない面との二面に被せるＬ形の縁部材である。
【０１２０】
品物Ｘに縁部材１５６を被せた際、縁部材１５６の端板１５５の反対側端に端板１５７を設けておくと、縁部材１５６に対する品物Ｘの抜き取りが阻止され、端板１５５がない場合、縁部材１５６の両端に端板１５７を設けるとよい。
【０１２１】
勿論、端板１５７にかえて縁部材１５６に対する品物Ｘの抜き取りをその他の手段によって防止することもある。
【０１２２】
また、縁部材１５６と側板１５２との対向面には、カバー１５４に対する品物Ｘの収納にともない押し戻され、品物の収納終了にともない係合関係になると共に、ショップ側の解除具１２７によって係合関係を解除する係合手段１２９が設けてある。
【０１２３】
上記係合手段１２９としての貫窓８５は、図示の場合縁部材１５６に、爪１３１は側板１５２に設けたが、縁部材１５６に爪１３１を、側板１５２に凹入部或いは貫窓８５を設けてもよい。
【０１２４】
上記の係合手段１２９解除具１２７は、第七、第八の実施形態と同様につき構成並びに作用の説明を省略する。
【０１２５】
勿論、品物Ｘが挿入方式の場合、第八の実施形態の爪１３１を、品物Ｘが嵌め込み方式の場合、第七の実施形態の爪１３１を採用する。
【０１２６】
そして、カバー１５４或いは縁部材１５６のいずれか片方に盗難防止用のタグＤを設けておくとよい。
【０１２７】
すると、カバー１５４に対し縁部材１５６を介し品物Ｘの取り外しが防止できて、盗難防止になる。
【０１２８】
なお、弾片１３０を有する爪１３１は、第七、第八、第九の実施形態においてベース１５９に設けた別部品とし、接着剤などを介しベース１５９を取付けるようにしたが、カバーと一体成形によって設けることもできる。
【０１２９】
勿論、係合手段１２９は、図２８に示すようにカバー１５４に品物Ｘを挿入する方式の場合、第八の実施形態と同様の構成とし、図３１に示すように品物Ｘにカバー１５４を嵌装する方式の場合、第七の実施形態と同様の構成とする。
【０１３０】
また、縁部材１５６を図３１及び図３２に示すように、品物Ｘの辺縁部三面（品物Ｘの周囲面と周囲面を挟む二面と）に重なるコ字状に形成することもある。
【０１３１】
その際、縁部材１５６の基板１５１側の板が基板１５１に設けた貫孔１９２に嵌り込むように（図３２に示す）すると、基板１５１の全面に品物Ｘが重なって品物Ｘの一部が浮き上がることがない。
【０１３２】
当然、貫孔１９２は縁部材１５６の基板１５１の抱き込み部１９３が、全長の板と点在的な片とによって形成されるので、抱き込み部１９３の形状によって決定する。
【０１３３】
この発明の第拾の実施形態では、図３３から図３７に示すように、一面に品物Ｘの嵌入用の開口２１１を有するカバー２１２を形成する。
【０１３４】
上記のカバーは、基板２１３と、この基板２１３の各辺縁から基板２１３の裏面方向に突出する各辺の側板２１４とで形成され、一つの側板２１４の開口２１１側縁から内方に突出する脱出防止部２１５を設けて、まず脱出防止部２１５の内側に品物Ｘの一辺部を先行させて嵌入し、嵌入後に開口２１１からカバー２１２内に品物Ｘを落し込む。
【０１３５】
その際、脱出防止部２１５によって落し込んだ品物Ｘがカバー２１２から外れないようになると共に、脱出防止部２１５を有する側板２１４に対向する側板２１４と品物Ｘの周面との間に必要な間隙２１６ができるようになっている。
【０１３６】
なお、上記の品物Ｘは、図示の第九の実施形態と同様の貫窓のないディスクのケース以外に、その他の盗難（カバー２１２から取り出して商品の抜き取りを防止する）を防止するものであってもよい。
【０１３７】
そして、カバー２１２は、例えば前途の実施例と同様に合成樹脂製の成形品を用いる。
【０１３８】
また、上記間隙２１６に抜き差し自在な差し込み板２１７を差し込む。
【０１３９】
上記の差し込み板２１７は、複数（図示の場合二枚別々に）差し込むようにしたが、一枚であってもよい。
【０１４０】
そして、別々に差し込む際のスムーズな差し込みと位置決めのために、側板２１４の内面にガイドレール２１８を設けておくとよい。
【０１４１】
さらに、差し込み板２１４の端末にはカバー２１２に収納してある商品Ｘの基板２１３の反対側面の縁部を押え込む品物の脱出防止片２１９が設けてある。
【０１４２】
また、差し込み板２１７とカバー２１２側（カバー２１２側にあっては、側板２１４又はガイドレール２１８に）との対向面には、差し込み板２１７の差し込みによって押し戻され、差し込み終了にともない係合関係になると共に、ショップ側の解除具２２０によって係合関係を解除する係合手段２２１が設けてある。
【０１４３】
上記の係合手段２２１は、図示に場合例えば合成樹脂成形品の差し込み板２１７に両端が下方（図示）に向くコ字状のスリット２２３を入れて、このスリット２２３の内側を側板２１４の方向に押し出して弾力性の有する爪２２４を設け、側板２１４の内面に爪２２４の先が嵌り込む凹入や貫通した係止部２２５を設け、差し込み板２１７の差し込みによって側板２１４と爪２２４の先との当接によって爪２２４を押し戻し、差し込み板２１７の差し込み終了にともない係止部２２５と爪２２４の先端とが合致するので、押し戻しの解除された爪２２４の先端が係止部２２５に嵌り込んで係合関係になる。
【０１４４】
すると、差し込み板２１７の抜き取りが阻止され、カバー２１２内の品物Ｘは、脱出防止部２１５と脱出防止片２１９とで取り出しが阻止される以外に、品物Ｘが、例えばディスクの収納ケースの場合、ケースの開放阻止による収納ディスクの盗難をなくする。
【０１４５】
なお、図示の場合差し込み板２１７に爪２２４を、側板２１４に係止部２２５を設けたが差し込み板２１７に係止部２２５を側板２１４に爪２２４を設けることもある。
【０１４６】
上記係合関係の解除を行う解除具２２０は、第九の実施形態と同様に、基板２１３の開口２２６から操作板２２７の突出片２２８を挿入して、図３７に示すように爪２２４を押し戻す。
【０１４７】
当然品物Ｘの販売に際しては、カバー２１２及び解除具２２０は、ショップ側に回収する。
【０１４８】
なお、カバー２１２或いは差し込み板２１７のいずれか一方に第一の実施形態と同様にタグＤを設けて、店外への持ち出しを検知する。
【０１４９】
また、差し込み板２１７の端末に脱出防止片２１９の反対方向に突出する突片２２９を設けて、この突片２２９と側板２１４の開放縁との重なり面に櫛歯部２３０を設けて、この櫛歯部２３０を互いに噛み合い状に嵌め込むことによって、ドライバの先を突片２２９の裏面に押し込まんとしても、押し込みを阻止する。
【０１５０】
なお、側板２１４の内方押圧による変形阻止手段、例えば、側板２１４の内面に突出部材を設けて爪２２４が外れるのを防止することもできる。
【０１５１】
また、第七、第八、第九及び第拾の実施形態の側壁や側板の内面に突っ張り変形阻止部材３００を設けておくと、加圧による側壁や側板の変形をなくすることができる。
【０１５２】
【発明の効果】
以上のように、この発明の盗難防止装置によれば、ケースに挿入して収納した商品の抜き取りを、ケースに嵌装した嵌合体や嵌装部材による開口の一部閉鎖、ケースに嵌装した第一及び第二嵌合体を有する閉鎖部材での開口の閉鎖及び両端に嵌合体を有する閉鎖部材での開口の閉鎖によってケースに収納してある商品の抜き取りを阻止して、盗難防止にすぐれた効果を発揮する。
【０１５３】
また、差し込み片によってケースに対する嵌合体の外れ防止にもなり、さらに係合手段によってケースに対する嵌合体、第一及び第二嵌合体の外れを阻止して一段と盗難防止効果がある。
【０１５４】
さらに、ケースの外側に嵌装した開放阻止部材によりケースの開放を阻止して収納商品の取り出しを防止すると共に、係合手段によりショップ側以外の開放阻止手段の取り外しを防止する。
【０１５５】
また、カバーに嵌合或いは嵌装したケースの開放を阻止するので、ケースに収納してある商品の盗難を防止することができる。
【０１５６】
さらに、商品に縁部材を介し嵌合或いは嵌装してあるカバーによっても商品の開放や引き抜きを防止して盗難防止に効果を発揮する。
【０１５７】
また、カバーに収納した品物をカバーの脱出防止部と差し込み板の脱出防止片とでカバーからの取り出しを防止すると共に、カバーの側板と差し込み板の突片との櫛歯部の噛み合い状の嵌合によって工具などの押し込みを阻止する効果もある。
【図面の簡単な説明】
【図１】この発明の第一の実施形態を示す斜視図
【図２】同上の要部を示す分解斜視図
【図３】嵌合体を嵌装した状態の一部切欠側面図
【図４】係合手段の解除を示す一部切欠側面図
【図５】係合手段の他の例を示す縦断側面図
【図６】嵌合体の他の使用例を示す縦断側面図
【図７】第二の実施形態を示す縦断側面図
【図８】第三の実施形態を示す縦断側面図
【図９】第四の実施形態を示す分解斜視図
【図１０】ケースに嵌装部材を取付けた一部切欠側面図
【図１１】同上の一部切欠平面図
【図１２】係合手段の解除を示す一部切欠平面図
【図１３】第五の実施形態を示すケースの斜視図
【図１４】ケースに開放阻止部材を嵌装した一部切欠側面図
【図１５】係合手段の他の例を示す一部切欠側面図
【図１６】解除具の使用を示す一部切欠側面図
【図１７】第六の実施形態を示す一部切欠側面図
【図１８】第七の実施形態を示す分解斜視図
【図１９】ケースにカバーを嵌装した一部切欠下面図
【図２０】同上の要部を示す縦断拡大正面図
【図２１】爪の拡大斜視図
【図２２】解除具を示す斜視図
【図２３】解除具の使用を示す縦断正面図
【図２４】第八の実施形態を示す分解斜視図
【図２５】ケースにカバーを嵌装した一部切欠下面図
【図２６】同上の要部を示す縦断拡大正面図
【図２７】爪の斜視図
【図２８】第九の実施形態を示す分解斜視図
【図２９】品物にカバーを嵌装した一部切欠正面図
【図３０】同上の要部を示す縦断正面図
【図３１】縁部材の他の例を示す分解斜視図
【図３２】同上の縁部材を使用した縦断正面図
【図３３】第拾の実施形態を示す分解斜視図
【図３４】差し込み板と解除具を示す分解斜視図
【図３５】差し込み板を差し込んだ平面図
【図３６】同上の要部を示す縦断正面図
【図３７】解除具の使用を示す縦断正面図
【図３８】従来品の斜視図
【符号の説明】
Ｋ、Ｋ’　　　ケース
１１　　　　　開口
１２　　　　　側壁
１３　　　　　頂壁
１４　　　　　底壁
１５　　　　　後壁
Ｂ　　　　　　嵌合体
１６　　　　　主壁
１７　　　　　周壁
１８　　　　　差し込み片
Ｃ　　　　　　係合手段
１９　　　　　係止部
２０　　　　　係止爪
Ｅ　　　　　　解除具
２１　　　　　挿入片
Ｄ　　　　　　タグ
３１　　　　　閉鎖部材
３２　　　　　第一嵌合体
３３　　　　　第二嵌合体
３４、３７　　主壁
３５、３６　　側壁
４１　　　　　嵌合体
Ｈ、Ｈ’　　　嵌装部材
６１、６４　　頂板
６２、６５　　端板
６３、６６　　側板
Ｎ　　　　　　解除具
Ｍ　　　　　　係合手段
６７　　　　　カバー
６７’　　　　貫通部
６８　　　　　二又片
６９　　　　　筒状部
７０　　　　　係止爪
７１　　　　　爪部
８１　　　　　箱体
８２　　　　　ヒンジ
８３　　　　　蓋体
８４　　　　　周壁
８５　　　　　貫窓
８６　　　　　押え片
８７　　　　　開放阻止部材
８８　　　　　主壁
８９　　　　　側壁
１００　　　　係合爪
１０１　　　　ヒンジ
１０２　　　　テーパー縁部
１０３　　　　解除具
１０４　　　　操作部材
１０５　　　　ピン
１０６　　　　孔
１１１　　　　突出部材
１１２　　　　係合手段
１１３　　　　係止部
１２１　　　　カバー
１２２　　　　主壁
１２３　　　　側壁
１２６　　　　突片
１２７　　　　解除具
１２９　　　　係合手段
１３０　　　　弾片
１３１　　　　爪
１３２　　　　テーパー面部
１３３　　　　操作板
１３４　　　　突出片
１３５　　　　間隙
１４１　　　　開口
１４２　　　　カバー
１４３　　　　主壁
１４４　　　　側壁
１４５　　　　防止片
１４６　　　　テーパー面部
１５１　　　　基板
１５２　　　　側板
１５３　　　　脱落防止部
１５４　　　　カバー
１５５　　　　端板
１５６　　　　縁部材
１５９　　　　ベース
２１１　　　　開口
２１２　　　　カバー
２１３　　　　基板
２１４　　　　側板
２１５　　　　脱出防止部
２１６　　　　間隙
２１７　　　　差し込み板
２１８　　　　ガイドレール
２１９　　　　脱出防止片
２２０　　　　解除具
２２１　　　　係合手段
２２３　　　　スリット
２２４　　　　爪
２２５　　　　係止部
２２６　　　　開口
２２７　　　　操作板
２２８　　　　突出片
２２９　　　　突片
２３０　　　　櫛歯部
【図１】
2004059060.tif 000003
【図２】
2004059060.tif 000004
【図３】
2004059060.tif 000005
【図４】
2004059060.tif 000006
【図５】
2004059060.tif 000007
【図６】
2004059060.tif 000008
【図７】
2004059060.tif 000009
【図８】
2004059060.tif 000010
【図９】
2004059060.tif 000011
【図１０】
2004059060.tif 000012
【図１１】
2004059060.tif 000013
【図１２】
2004059060.tif 000014
【図１３】
2004059060.tif 000015
【図１４】
2004059060.tif 000016
【図１５】
2004059060.tif 000017
【図１６】
2004059060.tif 000018
【図１７】
2004059060.tif 000019
【図１８】
2004059060.tif 000020
【図１９】
2004059060.tif 000021
【図２０】
2004059060.tif 000022
【図２１】
2004059060.tif 000023
【図２２】
2004059060.tif 000024
【図２３】
2004059060.tif 000025
【図２４】
2004059060.tif 000026
【図２５】
2004059060.tif 000027
【図２６】
2004059060.tif 000028
【図２７】
2004059060.tif 000029
【図２８】
2004059060.tif 000030
【図２９】
2004059060.tif 000031
【図３０】
2004059060.tif 000032
【図３１】
2004059060.tif 000033
【図３２】
2004059060.tif 000034
【図３３】
2004059060.tif 000035
【図３４】
2004059060.tif 000036
【図３５】
2004059060.tif 000037
【図３６】
2004059060.tif 000038
【図３７】
2004059060.tif 000039
【図３８】
2004059060.tif 000040
【手続補正書】
【提出日】平成15年7月18日(2003.7.18)
【手続補正１】
【補正対象書類名】明細書
【補正対象項目名】全文
【補正方法】変更
【補正の内容】
【発明の詳細な説明】
【特許請求の範囲】
【請求項１】周囲の一面に設けてある開口から商品を挿入して収納する形式のケースにおいて、上記開口の一部を閉鎖するように上記ケースの外側に着脱自在に嵌合体を嵌装すると共に、この嵌合体の一端内に前記嵌合体の一端側を先行させた嵌装にともない上記開口から上記ケースと商品との間隙に差し込む差し込み片を設け、また上記嵌合体とケースとに前記嵌合体の嵌装にともない押し戻され、かつ嵌装終了にともない係合関係になる適宜の係合手段を設けたことを特徴とする盗難防止装置。
【請求項２】周囲の一面に設けてある開口から商品を挿入して収納する形式のケースにおいて、上記開口の全部を閉鎖する閉鎖部材の一端に上記ケースの一端外側全部に嵌装する第一嵌合体を設け、また上記閉鎖部材の他端に上記ケースの他端外側に嵌装する第二嵌合体を設け、上記第二嵌合体とケースとに前記第二嵌合体の嵌装にともない押し戻され、かつ嵌装終了にともない係合関係になる適宜の係合手段を設けたことを特徴とする盗難防止装置。
【請求項３】上記第一嵌合体の閉鎖部材側端内に開口からケースと商品との間隙に差し込む差し込み片を設けたことを特徴とする請求項２に記載の盗難防止装置。
【請求項４】周囲の一面に設けてある開口から商品を挿入して収納する形式のケースにおいて、上記開口を閉鎖する閉鎖部材の両端に上記ケースの上記開口の両端外側に嵌装する嵌合体を設け、この各嵌合体とケースとに前記嵌合体の嵌装にともない押し戻され、かつ嵌装終了にともない係合関係になる適宜の係合手段を設けたことを特徴とする盗難防止装置。
【請求項５】周囲の一面に設けてある開口から商品を挿入して収納する形式のケースにおいて、上記ケースの開口側及びその反対側両コーナーの外側に片方が前記開口の一部を閉鎖する着脱自在な嵌装部材を嵌装し、この両嵌装部材にショップ側での係合関係を解除することができる適宜の係合手段を設け、また上記開口側の一方嵌合部材に前記開口から上記ケースと商品との間隙に差し込む差し込み片を設け、さらに上記ケースの周壁に貫孔を、他方嵌合部材に上記貫孔に貫通する貫通部材を設けたことを特徴とする盗難防止装置。
【発明の詳細な説明】
【０００１】
【発明の属する技術分野】
この発明は、ケースに収納してある商品の抜き取りを阻止する盗難防止装置に関する。
【０００２】
【従来の技術及びその課題】
従来レンタルショップにあっては、図１３に示すように、陳列内ケース１の前面開口２から上記陳列内ケース１にビデオテープなどの商品ａを挿入して収納する。
【０００３】
次いで、陳列外ケース３の上面開口４から上記陳列外ケース３の内に上記商品ａの収納ずみ陳列内ケース１を挿入して、レンタルショップの棚に陳列する。
【０００４】
その際、陳列外ケース３の上面から上方に挿入陳列内ケース１の上部を突出（図１８鎖線で示す）させて、陳列外ケース３に対する陳列内ケース１の存在を知らせるようになっている。
【０００５】
上記陳列外ケース３に対する陳列内ケース１の上部を上方に突出させる手段としては、周知のように陳列外ケース３の内面から突出する突出部材（図示省略）に挿入した陳列内ケース１の底を受架させて行う。
【０００６】
上述のような陳列状況下において、顧客は陳列外ケースから陳列内ケースを抜き取って、まず棚に空の陳列外ケースを戻し、次いで手にした陳列内ケースをカウンタに持参してレンタルの手続きを行う。
【０００７】
このようなショップにあっては、顧客が直接陳列内ケースを抜き取るシステムのため、抜き取った陳列内ケース内の収納商品を支障なく取り出すことができるので、商品の盗難にあう問題があった。
【０００８】
また、上記以外に、ブックケースにブックを挿入した場合や、商品ケースに商品を挿入して収納する場合でも同様に商品が抜き取られて盗難にあう。
【０００９】
そこで、この発明は、ケースに挿入（収納）してある商品の盗難を防止するようにしたことにある。
【００１０】
【課題を解決するための手段】
上記の課題を解決するために、この発明は、周囲の一面に設けてある開口から商品を挿入して収納する形式のケースにおいて、上記開口の一部を閉鎖するように上記ケースの外側に着脱自在に嵌合体を嵌装すると共に、この嵌合体の一端内に前記嵌合体の一端側を先行させた嵌装にともない上記開口から上記ケースと商品との間隙に差し込む差し込み片を設け、また上記嵌合体とケースとに前記嵌合体の嵌装にともない押し戻され、かつ嵌装終了にともない係合関係になる適宜の係合手段を設けた構成を採用する。
【００１１】
また、周囲の一面に設けてある開口から商品を挿入して収納する形式のケースにおいて、上記開口の全部を閉鎖する閉鎖部材の一端に上記ケースの一端外側全部に嵌装する第一嵌合体を設け、また上記閉鎖部材の他端に上記ケースの他端外側に嵌装する第二嵌合体を設け、上記第二嵌合体とケースとに前記第二嵌合体の嵌装にともない押し戻され、かつ嵌装終了にともない係合関係になる適宜の係合手段を設けた構成を採用する。
【００１２】
さらに、上記第一嵌合体の閉鎖部材側端内に開口からケースと商品との間隙に差し込む差し込み片を設けることもある。
【００１３】
また、周囲の一面に設けてある開口から商品を挿入して収納する形式のケースにおいて、上記開口を閉鎖する閉鎖部材の両端に上記ケースの上記開口の両端外側に嵌装する嵌合体を設け、この各嵌合体とケースとに前記嵌合体の嵌装にともない押し戻され、かつ嵌装終了にともない係合関係になる適宜の係合手段を設けた構成を採用する。
【００１４】
さらに、周囲の一面に設けてある開口から商品を挿入して収納する形式のケースにおいて、上記ケースの開口側及びその反対側両コーナーの外側に片方が前記開口の一部を閉鎖する着脱自在な嵌装部材を嵌装し、この両嵌装部材にショップ側での係合関係を解除することができる適宜の係合手段を設け、また上記開口側の一方嵌合部材に前記開口から上記ケースと商品との間隙に差し込む差し込み片を設け、さらに上記ケースの周壁に貫孔を、他方嵌合部材に上記貫孔に貫通する貫通部材を設けた構成を採用する。
【００１５】
【発明の実施形態】
この発明の実施の形態を添付図面に基づいて説明する。
【００１６】
この発明の第一の実施形態では、図１から図４に示すように、周囲一面に開口１１を有するケースＫには、開口１１から商品ａを挿入して収納する。
【００１７】
上記のケースＫは、左右で対向する側壁１２、１２と、この両側壁１２、１２間の上下面閉鎖の頂壁１３、底壁１４及び後面閉鎖の後壁１５とで両側壁１２、１２間の前面に開口１１を設けて形成し、例えば合成樹脂製薄板のブランクから組み立てたり、合成樹脂の成形製品などがある。
【００１８】
Ｂは開口１１の一部を閉鎖するようにケースＫの外側に着脱自在に嵌装する嵌合体である。
【００１９】
上記の嵌合体Ｂは、頂壁１３に重なる主壁１６と、この主壁１６の周縁から連なって主壁１６の裏面側に突出する角筒状の周壁１７とで構成され、ケースＫの上端外側（図示の場合）に嵌装して、周壁１７により開口１１の一部を閉鎖するもので、例えば合成樹脂による形成などにより形成すると共に、指先などを引っかけて力を加えても破損しないようになっている。
【００２０】
そして、開口１１から商品ａを挿入してケースＫに商品ａを収納したのち、ケースＫの上端外側に嵌装することで開口１１の一部を周壁１７により（図３に示すように）閉鎖されて、ケースＫに収納してある商品ａの抜き取りを阻止する。
【００２１】
また、嵌合体Ｂの一端内には、嵌合体Ｂの一端側を先行させた嵌装にともないケースＫと収納商品ａとの間隙に差し込む差し込み片１８が設けてある。
【００２２】
上記の差し込み片１８は、図示の場合嵌合体Ｂと一体に設けたが、別部品を接着や熱溶着などで取り付けることもあり、図示の場合商品ａと頂壁１６との間隙に差し込むようにしたが、限定されず商品ａと側壁１２とに間隙があればその間隙に差し込んでもよい。
【００２３】
要するに、差し込み片１８の差し込みによって嵌装した嵌合体Ｂの一端側上方（図示）への離脱を阻止することにある。
【００２４】
さらに、嵌合体ＢとケースＫとには、嵌合体Ｂの嵌装にともない押し戻され、かつ嵌装終了にともない係合関係になる係合手段Ｃが設けてある。
【００２５】
上記の係合手段Ｃとしては、図示の場合、後壁１５に貫孔による係止部１９を、周壁１７の内面に後壁１５の方向に突出端縁を突出させると共に、嵌合体Ｂの嵌装による後壁１５との接触にともない復元力に抗して押し戻され、係止部１９に合致（嵌合体Ｂの嵌装終了による）すると係止部１９に対し自動的に係合関係になる係止爪２０とで構成されている。
【００２６】
勿論、ケースＫ側に係止爪２０を、嵌合体Ｂ側に係止部１９を設けることもあり、係止部１９も貫孔にかえて凹部や突起などにかえることもあり、係止爪２０も切り起こしや別部品を接着や熱融着などで設けると共に、側壁１２と周壁１７との適所の対向面に、設けてもよい。
【００２７】
上記のように構成すると、レンタルショップにあっては、ケースＫを陳列内ケースとして使用し、開口１１からケースＫにレンタル商品ａを（販売品であってもよい）収納したのち、ケースＫの上端に嵌合体Ｂを嵌装する。
【００２８】
嵌装に際し、まずケースＫと商品ａとの間隙に差し込み片１８を差し込み、次いで図３鎖線に示す嵌合体Ｂを押し下げて図３実線に示すように嵌装する。
【００２９】
嵌装にともない後壁１５と係止爪２０の突出端縁との接触にともない係止爪２０を押し戻し、嵌合体Ｂの嵌装終了にともない係止部１９と係止爪２０とが合致するので、押し戻しによる復元力の発生している係止爪１９と係止部１９とが自動的に係合関係になって、差し込み片１８と係合関係ＣとでケースＫに対する嵌合体Ｂが結合されて、嵌合体Ｂの離脱を阻止する。
【００３０】
しかして、図１に示すように、レンタルショップ側の陳列外ケース３の上面開口４から陳列内ケースとしてのケースＫを挿入して陳列する。
【００３１】
その際、陳列外ケース３の上端から上方に嵌合体Ｂが突出して貸し出し可能（販売可能）な存在を知らせる。
【００３２】
顧客が陳列外ケース３からケースＫを抜き取り、そしてケースＫから商品ａを取り出そうとしても、ケースＫに対し結合状態に嵌装してある嵌合体Ｂの周壁１７により開口１１の一部が閉鎖されているので、抜き取りを阻止して盗難防止に役立つ。
【００３３】
上記係止手段Ｃの係合関係の解除方法は、解除具Ｅを用いて行う。
【００３４】
上記の解除具Ｅとしては、図示の場合周壁１７の内側に解除具Ｅの挿入片２１を挿入すると、挿入片２１の先端により係止爪２０を押し戻して係止爪２０と係止部１９との係合関係を解除するので、嵌合体Ｂの他端側を引き上げてケースＫから嵌合体Ｂを取り外す。
【００３５】
取り外した嵌合体Ｂは、ショップ側に回収する。
【００３６】
上記以外の解除方法としては、金属板により係止爪２０を形成して、強力な磁石により係止爪２０を吸引により引き戻すこともある。
【００３７】
なお、図３に示すように、ケースＫと嵌合体Ｂの周壁１７との大きな間隙が発生する場合、周壁１７の内面に解除具Ｅの差し込みに支障のない突起などを設けて、異物の挿入や周壁１７の変形を阻止すればよい。
【００３８】
また、ケースＫの後壁１５が薄くて係止爪２０の係合関係に支障や破損などが発生しやすい場合、図５に示すように厚板の係止部１９付の補強板２２を重ね合わせて固着すればよい。
【００３９】
なお、ケースＫを陳列内ケースとして使用する例を示したが、ケースＫのみを陳列ケースとして用い、ケースＫ内の商品ａの盗難を防止することもできる。
【００４０】
当然、図６に示すようにケースＫの上下に差し込み片１８及び係合手段Ｃ付の嵌合体Ｂ、Ｂを嵌装することもある。
【００４１】
また、図示のように、嵌合体Ｂ内に固有のＩＤコードをもち、ショップの出入口を通過の際出入口に設置の高周波電磁界の発生により共振回路が共振して固有のＩＤコードの発信にともない高周波電磁界を変調させるような盗難防止用のタグＤを設けておくと、ケースＫ毎商品ａのショップ外への持ち出しを防止する。
【００４２】
さらに、ケースＫの開口１１は、常時開放しているものを示したが、片方の側壁１２に折れ線を介し開口１１を開閉する蓋壁及び蓋壁に折れ線を介しもう片方の側壁１２の内側に差し込む差し込み壁（図示省略）を設けたものであってもよい。
【００４３】
この発明の第二の実施形態では、第一の実施形態のケースＫの開口１１を閉鎖する板材などの閉鎖部材３１の一端には、ケースＫの一端（図７に示す上端側）外側の全部に嵌装する第一嵌合体３２が、閉鎖部材３１の他端には、ケースＫの他端（図７に示す下端側）外側に嵌装する第二嵌合体３３が設けてある。
【００４４】
上記のケースＫは、第一の実施形態と同様につき説明を省略する。
【００４５】
上記の第一嵌合体３２は、閉鎖部材３１の上端から連なってケースＫの頂壁１３と後壁１５の上部に外接する主壁３４と、この主壁３４の両側縁及び溝形の閉鎖部材３１の両側壁３５から連なる側壁３６とで形成され、上記の第二嵌合体３３は、閉鎖部材３１の下端から連なってケースＫの底壁１４の下面に対向する主壁３７と、この主壁３７の両側縁に連なる側壁３５とで構成され、合成樹脂の形成品によってコストの低減をはかる。
【００４６】
すると、ケースＫの上端外側に第一嵌合体３２を、ケースＫの下端外側に第二嵌合体３３を換装して開口１１を閉鎖部材３１により閉鎖すると、ケースＫに収納してある商品ａの抜き取りを防止する。
【００４７】
そして、ケースＫと第二嵌合体３３とに第一の実施形態と同様の係合手段Ｃを設けておくと、ショップ側の解除具による係合手段Ｃの係合関係を解除しないかぎり、ケースＫから第一嵌合体３２及び第二嵌合体３３を有する閉鎖部材３１の取り外しができないので、盗難防止にすぐれた効果がある。
【００４８】
上記係合手段Ｃ及び解除方法は、第一の実施形態と同様につき説明を省略し、また第一嵌合体３２、第二嵌合体３３、閉鎖部材３１のいずれか内側に第一の実施形態と同様のタグＤを設けておくと、商品ａと共にケースＫのショップ外への持ち出しを防止する。
【００４９】
また、閉鎖部材３１に第一の実施形態と同様の差し込み片１８を設けておくと、第一嵌合体３２の嵌装が安定し、かつ外れにくくなる効果もある。
【００５０】
この発明の第三の実施形態では、図８に示すように、第二の実施形態と同様の閉鎖部材３１の両端には、第二の実施形態の第二嵌合体３３と同様の嵌合体４１、４１が設けてある。
【００５１】
そして、ケースＫと両嵌合体４１、４１には、第一の実施形態と同様の係合手段Ｃが設けてある。
【００５２】
すると、ショップ側の解除具による係合手段Ｃの係合関係を解除することができないので、ケースＫに対する両嵌合体４１、４１を有する閉鎖部材３１の取り外しができないため、ケースＫに収納してある商品ａの抜き取りを阻止し、盗難防止に役立つ。
【００５３】
上記閉鎖部材３１及び両嵌合体４１、４１は、第二の実施形態の閉鎖部材３１及び第二嵌合体３３と同様につき、また係合手段Ｃは第一の実施形態と同様につき説明を省略する。
【００５４】
また、閉鎖部材３１或いは嵌合体４１のいずれか内側に第一の実施形態と同様のタグＤを設けておくと、ケースＫ毎商品ａのショップ外への持ち出しを阻止する。
【００５５】
この発明の第四の実施形態では、図９から図１２に示すように、第一の実施形態と同様のケースＫの頂壁（底壁１４側でも可）１３の一端外側と頂壁１３の他端外側とに嵌装部材Ｈ、Ｈ’を嵌装して、頂壁１３の一端側嵌装部材Ｈにより開口１１の一部を閉鎖して、ケースＫに収納してある商品ａの抜き取りを阻止する。
【００５６】
上記の一方嵌装部材Ｈは、頂壁１３に外接する頂板６１と、この頂板６１の外端から連なって下方に突出すると共に、開口１１を閉鎖する端板６２と、頂板６１及び端板６２の両側縁から連なって側壁１２に外接する側板６３とで構成され、他方の嵌合部材Ｈ’は、頂壁１３に外接する頂板６４と、この頂板６４の外端から連なって下方に突出すると共に、後壁１５に外接する後板６５と、頂板６４及び後板６５の両側縁から連なって側壁１２に外接する側板６６とで構成され、例えば硬質の合成樹脂の成形品などが望ましい。
【００５７】
また、嵌装部材Ｈ内には、第一の実施形態と同様の差し込み片１８が、嵌装部材Ｈ’内には、後板６５などの内面から突出してケースＫの後壁１５に設けてある貫通部６７’に貫通させて、ケースＫと収納商品ａとの間隙に差し込む差し込み片１８がそれぞれ設けてある。
【００５８】
上記差し込み片１８、１８を設ける要因は、ケースＫに対し両嵌装部材Ｈ、Ｈ’の上方への離脱を阻止することにある。
【００５９】
上記のケースＫは、第一の実施形態と、差し込み片１８を設ける手段は、第一の実施形態と同様につき説明を省略する。
【００６０】
また、両嵌装部材Ｈ、Ｈ’には、ケースＫに対し両嵌装部材Ｈ、Ｈ’を嵌装し、嵌装終了にともない係合関係になってケースＫに対する両嵌合部材Ｈ、Ｈ’の離脱（抜き取り）を防止し、かつショップ側での解除具Ｎによる係合関係を解除する係合手段Ｍが設けてある。
【００６１】
上記の係合手段Ｍとしては、例えば（図示の場合）、嵌装部材Ｈ’の上面に先端部以外をカバー６７により覆った二又片６８を、嵌装部材Ｈの上面に二又片６８の先端部が嵌入する筒状部６９を設け、二又片６８の先端外側縁に設けてある銛状の係止爪７０が筒状部６９内の両側面に設けてある爪部７１に接すると、二又片６８を互いに内方に押し戻し、係止爪７０が爪部７１を通過すると二又片６８の押し戻しが解除されて、係止爪７０と爪部７１とが係合関係になって両嵌装部材Ｈ、Ｈ’の衝合端を連結し、ショップ側の解除具Ｎは、筒状部６９に挿入し、挿入先行端から突出する二条の突出部７２が両係止爪７０の突出テーパー面に接して両係止爪７０を互いに内方に押し戻すと共に、押し戻しにより係止爪７０と爪部７１との係合関係を解除して、ケースＫに対し解除具Ｎを挿入したままで嵌装部材Ｈを取り外すようにしたが、ケースＫに対しそれぞれの嵌装部材Ｈ、Ｈ’を係合関係にすることもでき、係合関係及び係合関係解除も他の手段で行うこともある。
【００６２】
すると、ケースＫに嵌装部材Ｈ、Ｈ’を嵌装することによりケースＫから商品ａの抜き取りを阻止する。
【００６３】
なお、取り外した嵌装部材Ｈ、Ｈ’はショップ側に回収し、嵌装部材Ｈ、Ｈ’のいずれか片方の内側に第一の実施形態と同様のタグＤを設けておくと、ケースＫ毎商品ａの店外の持ち出しを阻止する。
【００６４】
【発明の効果】
以上のように、この発明の盗難防止装置によれば、ケースに挿入して収納した商品の抜き取りを、ケースに嵌装した嵌合体や嵌装部材による開口の一部閉鎖、ケースに嵌装した第一及び第二嵌合体を有する閉鎖部材での開口の閉鎖及び両端に嵌合体を有する閉鎖部材での開口の閉鎖によってケースに収納してある商品の抜き取りを阻止して、盗難防止にすぐれた効果を発揮する。
【００６５】
また、差し込み片によってケースに対する嵌合体の外れ防止にもなり、さらに係合手段によってケースに対する嵌合体、第一及び第二嵌合体の外れを阻止して一段と盗難防止効果がある。
【図面の簡単な説明】
【図１】この発明の第一の実施形態を示す斜視図
【図２】同上の要部を示す分解斜視図
【図３】嵌合体を嵌装した状態の一部切欠側面図
【図４】係合手段の解除を示す一部切欠側面図
【図５】係合手段の他の例を示す縦断側面図
【図６】嵌合体の他の使用例を示す縦断側面図
【図７】第二の実施形態を示す縦断側面図
【図８】第三の実施形態を示す縦断側面図
【図９】第四の実施形態を示す分解斜視図
【図１０】ケースに嵌装部材を取付けた一部切欠側面図
【図１１】同上の一部切欠平面図
【図１２】係合手段の解除を示す一部切欠平面図
【図１３】従来品の斜視図
【符号の説明】
Ｋ、Ｋ’　　　ケース
１１　　　　　開口
１２　　　　　側壁
１３　　　　　頂壁
１４　　　　　底壁
１５　　　　　後壁
Ｂ　　　　　　嵌合体
１６　　　　　主壁
１７　　　　　周壁
１８　　　　　差し込み片
Ｃ　　　　　　係合手段
１９　　　　　係止部
２０　　　　　係止爪
Ｅ　　　　　　解除具
２１　　　　　挿入片
Ｄ　　　　　　タグ
３１　　　　　閉鎖部材
３２　　　　　第一嵌合体
３３　　　　　第二嵌合体
３４、３７　　主壁
３５、３６　　側壁
４１　　　　　嵌合体
Ｈ、Ｈ’　　　嵌装部材
６１、６４　　頂板
６２、６５　　端板
６３、６６　　側板
Ｎ　　　　　　解除具
Ｍ　　　　　　係合手段
６７　　　　　カバー
６７’　　　　貫通部
６８　　　　　二又片
６９　　　　　筒状部
７０　　　　　係止爪
７１　　　　　爪部
【手続補正２】
【補正対象書類名】図面
【補正対象項目名】全図
【補正方法】変更
【補正の内容】
【図１】
2004059060.tif 000041
【図２】
2004059060.tif 000042
【図３】
2004059060.tif 000043
【図４】
2004059060.tif 000044
【図５】
2004059060.tif 000045
【図６】
2004059060.tif 000046
【図７】
2004059060.tif 000047
【図８】
2004059060.tif 000048
【図９】
2004059060.tif 000049
【図１０】
2004059060.tif 000050
【図１１】
2004059060.tif 000051
【図１２】
2004059060.tif 000052
【図１３】
2004059060.tif 000053